(57)【要約】【課題】  動画記録と静止画記録の誤操作を防止しする眼科撮影装置、及び制御方法、プログラムを提供する。【解決手段】  励起フィルターが挿入されているか否かの検知をし、挿入されている場合に該励起フィルターの種類の種類を検知する。また、濾過フィルターが挿入されているか否かの検知をし、挿入されている場合に該濾過フィルターの種類を検知する。さらに、撮像手段の増幅率を検知する。そして、増幅率、励起フィルターの種類、濾過フィルターの種類のいずれかに基づき動画撮影、静止画撮影のいずれかを選択する。【選択図】  図１
2006026216.tif 000002
【特許請求の範囲】
【請求項１】
被検眼を照明する照明光学系、被検眼の観察と撮影を行う観察光学系、前記照明光学系に励起フィルターが挿入されているか否かの検知、挿入されている場合に該励起フィルターの種類の種類を検知のいずれかをするための励起フィルター検知手段、前記観察光学系に濾過フィルターが挿入されているか否かの検知、挿入されている場合に該濾過フィルターの種類を検知のいずれかをするための濾過フィルター検知手段、増幅率を変更可能であると共に、前記観察光学系に構成される被検眼像を撮像する撮像手段、該撮像手段の増幅率を検知する増幅率検知手段と、前記励起フィルター検知手段の出力、濾過フィルター検知手段の出力、及び前記増幅率検知手段の出力のいずれかに基づき動画撮影、静止画撮影のいずれかを選択する観察状態判断手段と、該観察状態判断手段の出力に基づき、少なくとも前記撮像手段を動画撮影の態様、静止画撮影の態様のいずれかの態様として撮影制御を行う制御手段とを備えることを特徴とする眼科撮影装置。
【請求項２】
前記照明光学系に観察用光源を有し、前記増幅率検知手段は前記観察用光源を一定光量の制御としたときに検知することを特徴とする請求項１に記載の眼科撮影装置。
【請求項３】
前記励起フィルター検知手段により前記照明光学系に前記励起フィルターが挿入され、前記濾過フィルター検知手段により前記照明光学系に前記濾過フィルターが挿入され、前記増幅率検知により前記撮像手段が所定増幅率以下の増幅率に設定されている場合は、観察状態判断手段は動画撮影の態様を選択することを特徴とする請求項２に記載の眼科撮影装置。
【請求項４】
前記励起フィルターおよび前記濾過フィルターは、赤外蛍光観察に用いるフィルターであることを特徴とする請求項３に記載の眼科撮影装置。
【請求項５】
被検眼を照明する照明光学系、被検眼の観察と撮影を行う観察光学系、増幅率を変更可能であると共に、前記観察光学系に構成される被検眼像を撮像する撮像手段を備える眼科撮影装置の制御方法であって、前記照明光学系に励起フィルターが挿入されているか否かの検知、挿入されている場合に該励起フィルターの種類の種類を検知のいずれかをするための励起フィルター検知工程、前記観察光学系に濾過フィルターが挿入されているか否かの検知、挿入されている場合に該濾過フィルターの種類を検知のいずれかをするための濾過フィルター検知工程、前記観察光学系に構成される被検眼を前記撮像手段で撮像する工程、該撮像手段の増幅率を検知する増幅率検知工程と、前記励起フィルター検知工程、濾過フィルター検知工程、及び前記増幅率検知工程の検知結果のいずれかに基づき動画撮影、静止画撮影のいずれかを選択する観察状態判断工程と、該観察状態判断工程の結果に基づき、少なくとも前記撮像手段を動画撮影の態様、静止画撮影の態様のいずれかの態様として撮影制御を行う制御工程とを備えることを特徴とする眼科撮影装置の制御方法。
【請求項６】
被検眼を照明する照明光学系、被検眼の観察と撮影を行う観察光学系、増幅率を変更可能であると共に、前記観察光学系に構成される被検眼像を撮像する撮像手段を備える眼科撮影装置を制御するためにコンピュータを、前記照明光学系に励起フィルターが挿入されているか否かの検知、挿入されている場合に該励起フィルターの種類の種類を検知のいずれかをするための励起フィルター検知手段、前記観察光学系に濾過フィルターが挿入されているか否かの検知、挿入されている場合に該濾過フィルターの種類を検知のいずれかをするための濾過フィルター検知手段、前記観察光学系に構成される被検眼を前記撮像手段で撮像する手段、該撮像手段の増幅率を検知する増幅率検知手段と、前記励起フィルター検知手段、濾過フィルター検知手段、及び前記増幅率検知手段の検知結果のいずれかに基づき動画撮影、静止画撮影のいずれかを選択する観察状態判断手段と、該観察状態判断手段の結果に基づき、少なくとも前記撮像手段を動画撮影の態様、静止画撮影の態様のいずれかの態様として撮影制御を行う制御手段として機能させことを特徴とするプログラム。
【発明の詳細な説明】
【技術分野】
【０００１】
本発明は、たとえば眼科医院等にて用いられる蛍光撮影が可能な眼底カメラなどの眼科撮影装置に関するものである。
【背景技術】
【０００２】
従来の眼科撮影装置においては、動画撮影や静止画撮影のような撮影制御方法の変更は、装置に設けられた撮影制御切替えスイッチなどの入力手段による変更を行っていた。また、動画記録スイッチと静止画記録スイッチを分離するなどの方法で行っていた（特許文献１参照）。
【０００３】
近年では、動画記録用に用いる光学系と静止画記録用に用いる光学系を分離することによって、上記スイッチを廃止し、動画と静止画を同時に記録できるように構成されている装置（特許文献２参照）が提案されている。
【特許文献１】特開平０２−２１１１２０
【特許文献２】特開平０８−２５２２２５
【発明の開示】
【発明が解決しようとする課題】
【０００４】
しかし、上記従来の方法では、以下のような課題があった。
１）動画記録と静止画記録の誤操作を行ってしまう。
２）動画記録用に用いる光学系と静止画記録用に用いる光学系を分離することにより装置が大型化し、高価なものになってしまう。
【０００５】
本発明は、本発明は上記の課題を解決するためになされたものであり、動画記録と静止画記録の誤操作を防止しする眼科撮影装置、制御方法、プログラムを提供することを目的とする。
【課題を解決するための手段】
【０００６】
上記の目的を達成するための本発明による撮影装置は以下の構成を備える。即ち、被検眼を照明する照明光学系、被検眼の観察と撮影を行う観察光学系、前記照明光学系に励起フィルターが挿入されているか否かの検知、挿入されている場合に該励起フィルターの種類の種類を検知するための励起フィルター検知手段、前記観察光学系に濾過フィルターが挿入されているか否かの検知、挿入されている場合に該濾過フィルターの種類を検知するための濾過フィルター検知手段、増幅率を変更可能であると共に、前記観察光学系に構成される被検眼像を撮像する撮像手段、該撮像手段の増幅率を検知する増幅率検知手段と、前記励起フィルター検知手段の出力、濾過フィルター検知手段の出力、及び前記増幅率検知手段の出力のいずれかに基づき動画撮影、静止画撮影のいずれかを選択する観察状態判断手段と、該観察状態判断手段の出力に基づき、少なくとも前記撮像手段を動画撮影の態様、静止画撮影の態様のいずれかの態様として撮影制御を行う制御手段を有する。
【０００７】
上記の目的を達成するための本発明による撮影装置の制御方法は以下の構成を備える。即ち、被検眼を照明する照明光学系、被検眼の観察と撮影を行う観察光学系、増幅率を変更可能であると共に、前記観察光学系に構成される被検眼像を撮像する撮像手段を備える眼科撮影装置の制御方法であって、前記照明光学系に励起フィルターが挿入されているか否かの検知、挿入されている場合に該励起フィルターの種類の種類を検知するための励起フィルター検知工程、前記観察光学系に濾過フィルターが挿入されているか否かの検知、挿入されている場合に該濾過フィルターの種類を検知するための濾過フィルター検知工程、前記観察光学系に構成される被検眼を前記撮像手段で撮像する工程、該撮像手段の増幅率を検知する増幅率検知工程と、前記励起フィルター検知工程、濾過フィルター検知工程、及び前記増幅率検知工程の検知結果のいずれかに基づき動画撮影、静止画撮影のいずれかを選択する観察状態判断工程と、該観察状態判断工程の結果に基づき、少なくとも前記撮像手段を動画撮影の態様、静止画撮影の態様のいずれかの態様として撮影制御を行う制御工程を備える。
【０００８】
上記の目的を達成するための本発明によるプログラムは以下の構成を備える。即ち、被検眼を照明する照明光学系、被検眼の観察と撮影を行う観察光学系、増幅率を変更可能であると共に、前記観察光学系に構成される被検眼像を撮像する撮像手段を備える眼科撮影装置を制御するためにコンピュータを、前記照明光学系に励起フィルターが挿入されているか否かの検知、挿入されている場合に該励起フィルターの種類の種類を検知するための励起フィルター検知手段、前記観察光学系に濾過フィルターが挿入されているか否かの検知、挿入されている場合に該濾過フィルターの種類を検知するための濾過フィルター検知手段、前記観察光学系に構成される被検眼を前記撮像手段で撮像する手段、該撮像手段の増幅率を検知する増幅率検知手段と、前記励起フィルター検知手段、濾過フィルター検知手段、及び前記増幅率検知手段の検知結果のいずれかに基づき動画撮影、静止画撮影のいずれかを選択する観察状態判断手段と、該観察状態判断手段の結果に基づき、少なくとも前記撮像手段を動画撮影の態様、静止画撮影の態様のいずれかの態様として撮影制御を行う制御手段として機能さる。
【発明の効果】
【０００９】
以上説明したように、本発明によれば、動画記録と静止画記録の誤操作を防止しする眼科撮影装置及びその制御方法、プログラムを提供できる。
【発明を実施するための最良の形態】
【００１０】
図１は、本発明を実施した眼底カメラの構成を示す図である。また、本実施例にて説明を行う眼底カメラは、散瞳剤を用いて撮影を行う散瞳型の眼底カメラである。
【００１１】
対物レンズ１、穴明きミラー２の穴に配置された撮影絞り２ａ、光軸上を移動可能なフォーカスレンズ３、撮影レンズ４、光路内に挿脱可能に配置された蛍光撮影用の蛍光濾過フィルター５、色分解プリズム６、撮像素子７ｂ、７ｒ、７ｇは、眼底観察撮影手段を構成する。ここで、色分解プリズム６、は、赤外光と赤色光を撮像素子７ｒへ、青色の光を撮像素子７ｂへ、緑色の光を撮像素子７ｇに導く。
【００１２】
これらの撮像素子から発した信号は、信号増幅手段８、画像制御手段１０、に入力させる。該画像制御手段１０には、モニター１１、２８、画像記録手段１２が接続されており、さらに制御手段１３により制御されている。前記記録手段１２は、Ｍｏ、ＭＤ、ＤＶＤ−ＲＡＭ，ＶＴＲテープ、ハードディスク等の外部より電力供給がなくとも記憶を保持可能な記録媒体１２ａへの書き込み、または、読み出しを行うドライブ装置である。
【００１３】
可視光及び赤外光の定常光を発するハロゲンランプ等の観察光源１６、コンデンサーレンズ１７、閃光を発するストロボ光源１９、リング状の開口を有する絞り２０、光路内に挿脱自在に配置された蛍光撮影用励起フィルター２１ａ、赤外光を遮断する赤外カットフィルター２１ｂ、リレーレンズ２２、前記穴明きミラー２、対物レンズ１は、眼底照明手段を構成する。
【００１４】
制御手段１３には、撮影スイッチ２３、励起フィルター選択スイッチ２４ａ、濾過フィルター選択スイッチ２４ｂ、前記観察光源１６の発する光量、及び信号増幅手段８の増幅率を調整するスイッチ２５、前記ストロボ光源１９の発光する光量及び、信号増幅手段８の増幅率を調整するスイッチ２６ａ，２６ｂが接続されている。
【００１５】
また、ストロボ光源１９は、ストロボ発光制御回路２７により発光を制御されており、発光光量は、コンデンサー２７ａに印加されている電圧により制御されている。
【００１６】
まず、カラー撮影をする場合について説明する。検者は、散瞳剤を点眼し散瞳した被検者を前記対物レンズ１に向かって着席させる。被検者は、散瞳剤によって散瞳されているので可視光を照射しても縮瞳しない。
【００１７】
カラー撮影を行う場合には、励起フィルター選択スイッチ２４ａを操作し、励起フィルター２１ａを光路外に退避するとともに赤外カットフィルター２１ｂを光路内に挿入し、濾過フィルター選択スイッチ２４ｂを操作し、蛍光濾過フィルター５を光路外に退避する。
【００１８】
観察光源１６を発した光は、コンデンサーレンズ１７により集光され、撮影光源１９、リング状開口を有する絞り２０の開口を通過し、レンズ２２を通り、穴明きミラー２の周辺のミラー部により左方に反射され、対物レンズ１、被検眼瞳孔Ｅｐを通して被検眼眼底Ｅｒを照明する。このように赤外光で照明された眼底Ｅｒの像は、再び対物レンズ１、穴明きミラー２の穴に配置された撮影絞り２ａ，フォーカスレンズ３、撮影レンズ４を通り、前記色分解プリズム６に入射し、撮像素子７ｂ、７ｒ、７ｇに結像し、電気信号に変換される。この信号は、信号増幅手段８を通り所定の増幅率に増幅され、画像制御手段１０に入力されモニター１１に表示される。撮影者は、このモニター１１に映った眼底像１１ａを見ながら、スイッチ２５を操作し眼底像の明るさを調整する。
【００１９】
次にスイッチ２５による光量、及び増幅率の調整について説明する。スイッチ２５はつまみ式になっており、その周りには目盛り１から９まで表示しており、その間を連続的に調整できる。このつまみの角度は、既知の角度検知手段により検知され、その情報は、制御手段１３に伝えられる。制御手段１３は、図２に示した表にしたがって、光源１６に印加する電圧及び、信号増幅手段８の増幅率を制御する。すなわち、スイッチ２５が、前記目盛り３相当を指しているときには、光源１６に印加する電圧は、４Ｖであり、信号増幅手段８の増幅率は０ｄＢである。また、スイッチ２５が、前記目盛り５相当を指している場合には、光源１６に印加する電圧は、１６Ｖであり、信号増幅手段８の増幅率は、０ｄＢである。さらにスイッチ２５が、前記目盛り７相当を指している場合には、光源１６に印加する電圧は、１６Ｖのままであり、信号増幅手段８の増幅率は、１２ｄＢである。さらに、前記目盛り９相当を差している場合には、光源１６に印加する電圧は、１６Ｖのままであり、信号増幅手段８の増幅率は、２４ｄＢ（２ビットシフト）である。
【００２０】
本実施例中で用いているビットシフトとは、撮像素子７ｂ、７ｒ、７ｇからの電気信号の信号増幅手段８内部での処理で、分解能を犠牲にして画像を擬似的に明るく見せる増幅方法である。１ビットシフトは２倍の増幅と同じ効果となるが１ビット分の分解能を低下させ、２ビットシフトは４倍の増幅と同じ効果となるが２ビット分の分解能を低下させることになるため、出力される画像は、ビットシフトしない画像に比べ画質が劣ることになる。
【００２１】
また、スイッチ２５の指す位置が、上記目盛りの間である場合には、その割合に応じた値が設定される。これらの、電圧の変更及び、増幅率の変更は、即時に行われるため、モニターを見ながら、撮影者は、広いダイナミックレンジに亘って、眼底像の明るさを調節できる。
【００２２】
このように、スイッチ２５を調整し被検眼眼底を、適当な明るさで観察しながら不図示の操作手段を用いて被検眼との位置合わせ及び、フォーカスレンズ３を動かしてのピントあわせ、及び撮影範囲の確認を行う。
【００２３】
つぎにスイッチ２６による、光量、及び増幅率の調整について説明する。スイッチ２６ａ、２６ｂを操作すると、表示手段２６ｃの表示が、Ｆ１から、Ｆ８まで段階的に変化する。このスイッチ２６ａ、２６ｂにより設定された値は、制御手段１３によって検知され制御手段１３は、図３に示した表にしたがって、ストロボ発光制御手段２７の、コンデンサーの充電電圧、及び、信号増幅手段８の増幅率を設定する。ただし、この時の信号増幅率は、後述のごとく、撮影スイッチ２３への入力を待って設定される。  つまり、スイッチ２６の値が、Ｆ１であることを検知した制御手段１３は、コンデンサー２７ａに印加されている電圧を、５３Ｖに設定し信号増幅手段８の増幅率が、０ｄＢであることをメモリー１３ａに記憶する。同様にスイッチ２６の値が、Ｆ７であることを検知した制御手段１３は、コンデンサー２７ａに印加されている電圧を、３００Ｖに設定し信号増幅手段８の増幅率が、６ｄＢであることをメモリー１３ａに記憶する。
【００２４】
以上のような設定が終了し、前記モニター１１に映った眼底像を観察し撮影範囲、位置、ピント合わせが良好であることを確認した後撮影スイッチ２３を操作し撮影を行う。ここで重要な点は、この時の撮影は自動的に静止画撮影となる事である。自動的に静止画撮影とする制御方法については、後述する蛍光撮影時の撮影制御の方法で説明を行う。
【００２５】
撮影スイッチ２３への入力を検知した制御手段１３は、撮像素子７ｂ、７ｒ、７ｇ  の光蓄積を開始し、信号増幅手段８の増幅率を、前述のとおり、メモリー１３ａに記憶されている値に設定し、ストロボ制御回路２７に発光信号を送る。発光信号を受けたストロボ１６は、前記コンデンサー２７ａに蓄えられた電荷により発光する。ストロボ１６を発した光束は前記観察光と同様に、リング状開口を有する絞り２０の開口を通過し、フィルター２１ｂにより赤外光は除去され、残りの可視光はレンズ２２を通り、穴明きミラー２周辺のミラー部により左方に反射され、対物レンズ１を通して被検眼瞳孔Ｅｐより眼底Ｅｒを照明する。このように照明された眼底の像は、再び対物レンズ１、撮影絞り２ａ、フォーカスレンズ３、撮影レンズ４を通り、前記色分解プリズム６に入射し、赤、緑、青、それぞれの色に分解され、撮像素子７ｒ、７ｇ、７ｂに結像し、電気信号に変換される。信号増幅手段８は、これらの信号を前記の通り設定した増幅率で増幅し、画像制御部１０は、この電気信号をデジタル画像データに変換し、メモリー１０ａに一旦記録し、記録手段１２により記録媒体１２ａに記録する。それとともにモニター２８に静止画撮影された眼底画像を表示する。
【００２６】
次に蛍光撮影を行う場合について説明する。まず、カラー撮影と同様に散瞳剤を点眼し散瞳した被検者を前記対物レンズ１に向かって着席させる。被検者は、散瞳剤によって散瞳されているので可視光を照射しても縮瞳しない。そこで、励起フィルター選択スイッチ２４ａを操作し、励起フィルター２１ａを光路外に退避するとともに赤外カットフィルター２１ｂを光路内に挿入し、濾過フィルター選択スイッチ２４ｂを操作し、蛍光濾過フィルター５を光路外に退避する。
【００２７】
このような構成において、光源１６を発した光は、前記と同様な光路を通り、励起フィルター２１ａにより赤外光は、取り除かれ、眼底を可視光で照明する。このように照明された眼底像は、前記と同様の光路を通り、色分解プリズムにより、青、赤、緑色に色分解され撮像素子、７ｂ、７ｒ、７ｇに結像し、電気信号に変換される。これらの電気信号は信号増幅手段８に入力され、所定の増幅率に増幅される。この信号は、画像制御手段１０に入力され、モニター１１に映し出される。撮影者は、このモニター１１に映ったカラーの眼底像を観察し、被検眼眼底像が、見やすい明るさになるようにスイッチ２５を操作する。モニターに映ったカラー眼底像  を見て位置合わせ及びピントが良好であることを確認した後、被検者に蛍光剤を注射する。それとともに励起フィルター選択スイッチ２４ａと濾過フィルター選択スイッチ２４ｂを操作し、蛍光励起フィルター２１ａ及び蛍光濾過フィルター５を光路内に挿入する。撮影者は、スイッチ２５を操作したとえば、９程度に設定することにより光源１６の発光する光量を増すとともに、信号増幅手段８の増幅率を大きくし、微弱な光である蛍光像が出現するのを待つ。蛍光像が出現したら、撮影スイッチ２３を操作する。
【００２８】
ここで、カラー撮影を行う場合の説明中に後述するとした、カラー撮影時には自動的に静止画撮影とする制御方法である、本発明の最も特徴的な制御について説明する。
【００２９】
図４は、詳細部の構成図を示したもので、制御手段１３の内部に、励起フィルター検知手段１３０１、濾過フィルター検知手段１３０２、信号増幅手段８の増幅率の増幅率検知手段１３０３、観察状態判断手段１３０４、撮影制御手段１３０５が構成されている。励起フィルター選択スイッチ２４ａおよび蛍光励起フィルター２１ａと接続されている励起フィルター検知手段１３０１、濾過フィルター選択スイッチ２４ｂおよび蛍光濾過フィルター５と接続されている濾過フィルター検知手段１３０２、スイッチ２５に接続されている増幅率検知手段１３０３は、観察状態判断手段１３０４に接続されていて、観察状態判断手段１３０４の出力は、撮影制御手段１３０５に接続されている。
【００３０】
本実施例では、励起フィルター検知手段１３０１はおよび濾過フィルター検知手段１３０２は、蛍光励起フィルター２１ａおよび蛍光濾過フィルター５の挿入および離脱制御を行っているため、蛍光励起フィルター２１ａおよび蛍光濾過フィルター５がそれぞれ光路内に挿入されているか光路外に離脱されているかの検知が可能な構成となっている。蛍光励起フィルター２１ａおよび蛍光濾過フィルター５の位置検知の方法については、本実施例で示す方法以外にも、光路内に検知スイッチを設ける方法等が考えられる。
【００３１】
図５は、観察状態の判断の様子をフローチャートで示したもので、ステップ５０１として、撮影スイッチ２３が操作されると同時に観察状態の判断を開始する。図５に示すフローチャート内部のすべての判断ステップは、観察状態判断手段１３０４内部で実行され、ステップ５０２は、励起フィルター検知手段１３０１からの入力により、蛍光励起フィルター２１ａが光路内に挿入されている場合には、ステップ５０３に進み、蛍光励起フィルター２１ａが光路内に挿入されていない場合には、ステップ５０６に進み観察状態の判断を終了する。ステップ５０３は、濾過フィルター検知手段１３０２からの入力により、蛍光濾過フィルター５が光路内に挿入されている場合には、ステップ５０４に進み、蛍光濾過フィルター５が光路内に挿入されていない場合には、ステップ５０６に進み観察状態の判断を終了する。最後の判断としてのステップ５０４では、増幅率検知手段１３０３からの入力により、信号増幅手段８の増幅率が図２に示すビットシフト制御を行っているか否かの判断を行い、ビットシフト制御を行っていない場合には、ステップ５０５に進み観察状態の判断を終了し、ビットシフト制御を行っている場合には、ステップ５０６に進み観察状態の判断を終了する。
【００３２】
次に、以上の処理にて観察状態の判断を行うことができる理由について説明する。これらステップ５０２、ステップ５０３、ステップ５０４での判断は、蛍光撮影時の撮影方法が動画撮影に適したものか静止画撮影に適したものかの判断に基づいている。ステップ５０２では、蛍光撮影時に不可欠な蛍光励起フィルター２１ａが光路に挿入されているか否かの判断を行うため、蛍光撮影を行うか否かの判断が可能である。ステップ５０３では、蛍光濾過フィルター５が光路内に挿入されているか否かの判断を行うため、蛍光像が出現するのを待っている状態もしくは蛍光像を撮影しようとしている状態か否かの判断が可能である。ステップ５０４では、信号増幅手段８の増幅率がビットシフトされ分解能を低下させることになっているか否かの判断を行うため、撮像素子７ｒ、７ｇ、７ｂに光蓄積される画像の分解能が著しく低下する状態となっているか否かの判断が可能である。
【００３３】
本実施例においては、ビットシフトが行われるか否かである図２における１８ｄｂを基準に観察状態の判断を行うようにしている。しかしながら、より高精度の静止画を求めた場合は、基準とした増幅率の所定値を０ｄｂすることで、増幅を行う場合には静止画撮影に適していると判断する方法も考えられる。このように増幅率の所定値を変更することは、本実施例を用いて容易に行える上、観察状態から動画撮影に適したものか静止画撮影に適したものかの判断を行う本発明の特徴とする制御を用いることにかわりはない。
【００３４】
ステップ５０２、ステップ５０３、ステップ５０４において、それぞれＹＥＳの判断となった場合は、蛍光撮影で蛍光像を撮影し画像を劣化させることなく観察可能な状態であると判断できるため、ストロボ光源１９を用いることなく観察光源１６からの照明光で撮像素子７ｒ、７ｇ、７ｂへの光蓄積が可能な状態である。一般に、蛍光撮影時において、蛍光像が出現し始めてからの数分間は、以上のような蛍光撮影で蛍光像を撮影し画像を劣化させることなく観察可能な状態であり、その後は、蛍光の低下によって蛍光像の観察が困難になっていくため、蛍光濾過フィルター５を光路外に離脱し、ビットシフトを用いた観察を行っている。特に近年では、赤外蛍光撮影において、蛍光像が出現し始めてからの数分間の動画撮影画像と、その後の静止画撮影画像を用いて眼底の読影を行っている場合がほとんどである。本実施例のように、動画撮影と静止画撮影を蛍光像の観察状態の判断に基づいて行うことで、極めて使い勝手の良い装置となる。
【００３５】
撮影スイッチ２３への入力を検知した制御手段１３は、その内部に構成されている観察状態判断手段１３０４で観察状態の判断を行い、撮影制御手段１３０５によって静止画撮影と動画撮影を行っている。前述したカラー撮影時の撮影処理は、撮影制御手段１３０５による静止画撮影である。図５に示したステップ５０６に進んだ場合は、撮影制御手段１３０５によって静止画撮影が実行され、カラー撮影時と同様の処理を行う。観察状態判断手段１３０４で観察状態の判断を行い、図５に示したステップ５０５に進んだ場合は、撮影制御手段１３０５によって動画撮影が実行され、カラー撮影時とは処理が異なる。
【００３６】
ここでは、静止画撮影とは処理の異なる動画撮影時の制御について説明する。
【００３７】
撮像素子７ｒ、７ｇ、７ｂの光蓄積を開始し、信号増幅手段８の増幅率は、スイッチ２５により設定された値である。静止画撮影と処理が異なる第一の相違点は、信号増幅手段８の増幅率はメモリー１３ａに記憶されている値に設定されない事である。静止画撮影と処理が異なる第二の相違点は、ストロボ制御回路２７に発光信号を送らない事である。観察光源１６からの観察光は、静止画撮影と同様に、リング状開口を有する絞り２０の開口を通過し、フィルター２１ａにより蛍光励起光のみ透過し、レンズ２２を通り、穴明きミラー２周辺のミラー部により左方に反射され、対物レンズ１を通して被検眼瞳孔Ｅｐより眼底Ｅｒを照明する。  このように照明された眼底は蛍光を発し、その像は、再び対物レンズ１、撮影絞り２ａ、フォーカスレンズ３、撮影レンズ４、蛍光濾過フィルター５により蛍光以外の光は除かれ、前記色分解プリズム６に入射し、赤、緑、青、それぞれの色に分解され、撮像素子７ｒ、７ｇ、７ｂに結像し、電気信号に変換される。信号増幅手段８は、これらの信号を前記の通り設定した増幅率で増幅し、画像制御部１０は、この電気信号をデジタル画像データに変換し、メモリー１０ａに一旦記録し、記録手段１２により記録媒体１２ａに記録する。撮影スイッチ２３が押されている間は、撮像素子７ｒ、７ｇ、７ｂの光蓄積開始から記録媒体１２ａへの記録までの一連の処理を繰り返し実行する。以上、説明した動画撮影時の処理は、本実施例において、撮影スイッチ２３が離された場合に撮影処理を終了する。
【００３８】
この動画撮影時には、静止画撮影時に静止画撮影を表示していたモニター２８に眼底画像を表示しない。これは、モニター１１に動画記録されたものと同じ画像が映っているためである。動画撮影時には、このモニター１１に映った眼底像を見て、蛍光像が、明るかったり暗かったりする場合には、スイッチ２５を操作し明るさを調整することになる。スイッチ２５を操作すると、観察状態が変化し観察状態判断手段１３０４による判断が変化することがあり、撮影制御手段１３０５によって静止画撮影制御と動画撮影制御の切替えを行うことがある。同様に、励起フィルター選択スイッチ２４ａの操作および濾過フィルター選択スイッチ２４ｂの操作によって、観察状態が変化し観察状態判断手段１３０４による判断が変化するので、撮影制御手段１３０５によって静止画撮影制御と動画撮影制御の切替えを行うことがあることは言うまでもない。
【００３９】
以上説明したように、本発明による眼科撮影装置は、撮影制御方法を観察状態に応じて自動的に切替えるようになっているので、静止画撮影と動画撮影の誤操作を防止することができる。また、静止画撮影と動画撮影を１つの撮像素子で行えるように構成できるので、装置の小型化および低価格化が可能である。
【００４０】
（他の実施形態）
また実施形態１の機能を実現する様に各種のデバイスを動作させる様に該各種デバイスと接続された装置あるいはシステム内のコンピュータに、前記実施形態機能（例えば、図５のフローチャートにより実現される機能）を実現するためのソフトウエアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００４１】
またこの場合、前記ソフトウエアのプログラムコード自体が前述した実施形態の機能を実現することになり、そのプログラムコード自体、及びそのプログラムコードをコンピュータに供給するための手段、例えばかかるプログラムコードを格納した記憶媒体は本発明を構成する。
【００４２】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることが出来る。
【００４３】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００４４】
更に供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図面の簡単な説明】
【００４５】
【図１】眼底カメラの配置を表わす図である。
【図２】印加電圧とカメラの増幅率を表わす図である。
【図３】充電電圧とカメラの増幅率を表わす図である。
【図４】詳細部の構成図を表す図である。
【図５】観察状態の判断の様子を表わすフローチャートである。
【符号の説明】
【００４６】
１３  制御手段
１３０１  励起フィルター検知手段
１３０２  濾過フィルター検知手段
８  信号増幅手段
１３０３  信号増幅手段８の増幅率の増幅率検知手段
１３０４  観察状態判断手段
１３０５  撮影制御手段
２４ａ  励起フィルター選択スイッチ
２４ｂ  濾過フィルター選択スイッチ
【図１】
2006026216.tif 000003
【図２】
2006026216.tif 000004
【図３】
2006026216.tif 000005
【図４】
2006026216.tif 000006
【図５】
2006026216.tif 000007